(57)【特許請求の範囲】
【請求項１】
放送局を受信する第１受信手段と、
この第１受信手段にて受信中の放送局であるメイン受信局の受信周波数と隣接する受信周波数をサーチ受信する第２受信手段と、
前記メイン受信局の受信周波数及び、このメイン受信局と同一番組放送中の代替局の受信周波数を記憶する代替周波数記憶手段と、
前記第２受信手段にてサーチ受信中の受信周波数に対応する隣接局の受信レベルが所定レベル以上であるか否かを判定する隣接局レベル判定手段と、
前記隣接局レベル判定手段にて隣接局の受信レベルが所定レベル以上であると判定されると、前記第１受信手段にて受信中のメイン受信局に対応する代替局の受信周波数を前記代替周波数記憶手段から読み出し、この読み出された受信周波数に基づいて前記代替局を第１受信手段に切替受信させる制御手段とを有することを特徴とする多重放送受信装置。
【請求項２】
前記制御手段は、
前記第２受信手段にてメイン受信局の代替局を順次受信し、各代替局の内、最良の受信レベルの代替局を第１受信手段に切替受信させることを特徴とする請求項１記載の多重放送受信装置。
【請求項３】
前記第２受信手段のサーチ受信対象は、前記第１受信手段にて受信中のメイン受信局の受信周波数から±１００ＫＨｚの範囲内の受信周波数であることを特徴とする請求項１又は２記載の多重放送受信装置。
【請求項４】
前記制御手段は、現在受信中のメイン受信局の放送電波から、このメイン受信局と同一番組放送中の代替局の受信周波数を抽出し、この抽出した代替局の受信周波数を代替周波数記憶手段に記憶することを特徴とする請求項１、２又は３記載の多重放送受信装置。
【発明の詳細な説明】
【０００１】
【発明の属する技術分野】
本発明は、例えばＦＭラジオ放送の受聴者に対して様々なサービスを提供するラジオデータシステム（ＲＤＳ）方式等の多重放送を受信する多重放送受信装置に関し、より詳しくは、ダブルチューナ方式を採用した多重放送受信装置に関する。
【０００２】
【従来の技術】
従来、このような多重放送としては、ＦＭラジオ放送の放送電波に当該番組放送に関連する情報や交通情報等の情報をデータとして多重化し、受信側で当該多重化されたデータを復調することで、当該ＦＭラジオ放送の受聴者に対して様々なサービスを提供することができるＲＤＳ方式がある。
【０００３】
このようなＲＤＳ方式は、主に欧州で採用されており、欧州各地を走行中であっても現在受信中の放送局であるメイン受信局と同一番組が受聴できるように放送局ネットワークが構成され、例えば放送番組の他に、現在受信中のメイン受信局の受信周波数及び、このメイン受信局と同一番組を放送中の代替局の受信周波数をリスト化した代替周波数（ＡＦ）リストがＲＤＳデータとして放送電波に多重化されて各多重放送受信装置に配信するようなネットワーク構成としている。
【０００４】
つまり、このようなＲＤＳ方式のネットワーク構成の下で、通常のシングルチューナ方式を採用した多重放送受信装置によれば、ＲＤＳデータから得られたＡＦリストに基づいて代替可能な同一番組を放送する代替局に追従するために、一定時間ミュートをかけることで、受信レベルの良好な代替局をサーチ受信することができる。
【０００５】
しかしながら、このようなシングルチューナ方式を採用した多重放送受信装置によれば、一定時間ミュートをかけなければ、受信レベルの良好な代替局にサーチ受信することができないといった事態が生じた。
【０００６】
また、このようなシングルチューナ方式を採用した多重放送受信装置によれば、前記ＡＦリストに基づいて代替局をサーチ受信して、受信レベルの良好な代替局に切替受信しなければならない条件となったとき、現在受信中のメイン受信局と離調して、受信レベルの良好な代替局に同調するまでに、ある程度の時間を要するため、切替ノイズが発生してしまうといった事態が生じた。
【０００７】
そこで、このような事態を打開すべく、近年、通常受信用のチューナと代替局追従用のチューナとを別個に設けたダブルチューナ方式を採用した多重放送受信装置が知られており、このようなダブルチューナ方式を採用した多重放送受信装置によれば、前記通常受信用のチューナでメイン受信局との通常受信を行いながら、前記代替局追従用のチューナに代替局のサーチ受信を賄わせることで、一定時間のミュートをかけることなく、受信レベルの良好な代替局に、効率良くサーチ受信することができる。
【０００８】
さらに、このようなダブルチューナ方式を採用した多重放送受信装置によれば、代替局追従用のチューナで代替局と同調した状態で待機しておき、通常受信用のチューナで現在受信中のメイン受信局と離調すれば、瞬時に切替受信を行うことができるので、切替ノイズが発生してしまうようなことはない。
【０００９】
このようにダブルチューナ方式を採用した多重放送受信装置によれば、代替局へのサーチ効率を大幅に向上させることができ、さらには切替ノイズを大幅に低減することができる。
【００１０】
【発明が解決しようとする課題】
しかしながら、上記従来のダブルチューナ方式を採用した多重放送受信装置によれば、通常受信用のチューナで受信中のメイン受信局の受信レベルが劣化した場合にのみ、代替局追従用のチューナは代替局の追従動作又は切替受信動作に使用されるため、例えば通常受信用チューナで受信中のメイン受信局の受信レベルが良好の場合には、代替局追従用のチューナは使用されないといった問題点があった。
【００１１】
また、上記従来のダブルチューナ方式を採用した多重放送受信装置によれば、例えば通常受信用のチューナで受信中のメイン受信局の受信レベルが良好であっても、このメイン受信局の受信周波数に隣接する隣接局があると、この隣接局によって、現在受信中のメイン受信局の受信が妨害されてしまうといった問題点があった。
【００１２】
本発明は、上記問題点に鑑みてなされたものであり、その目的とするところは、各チューナの有効活用を図りながら、メイン受信局の隣接局を監視することで、当該隣接局によるメイン受信局の受信妨害を事前に防止することができる多重放送受信装置を提供することにある。
【００１３】
【課題を解決するための手段】
上記目的を達成するために本発明における請求項１記載の多重放送受信装置は、放送局を受信する第１受信手段と、この第１受信手段にて受信中の放送局であるメイン受信局の受信周波数と隣接する受信周波数をサーチ受信する第２受信手段と、前記メイン受信局の受信周波数及び、このメイン受信局と同一番組放送中の代替局の受信周波数を記憶する代替周波数記憶手段と、前記第２受信手段にてサーチ受信中の受信周波数に対応する隣接局の受信レベルが所定レベル以上であるか否かを判定する隣接局レベル判定手段と、前記隣接局レベル判定手段にて隣接局の受信レベルが所定レベル以上であると判定されると、前記第１受信手段にて受信中のメイン受信局に対応する代替局の受信周波数を前記代替周波数記憶手段から読み出し、この読み出された受信周波数に基づいて前記代替局を第１受信手段に切替受信させる制御手段とを有することを特徴とする。
【００１４】
従って、本発明における請求項１記載の多重放送受信装置によれば、第１受信手段によるメイン受信局の受信中に、このメイン受信局に隣接する受信周波数へのサーチ受信を第２受信手段にて行い、このサーチ受信にて受信された隣接局の受信レベルが所定レベル以上となると、当該メイン受信局に受信妨害を及ぼす隣接局と判断し、第１受信手段にて受信中のメイン受信局を代替局に切替受信させるようにしたので、第２受信手段の有効活用を図りながら、メイン受信局の隣接局を監視することで、隣接局によるメイン受信局の受信妨害を事前に防止することができ、さらにはユーザーに同一番組を享受することができる。
【００１５】
本発明における請求項２記載の多重放送受信装置は、上記請求項１記載の構成に加えて、前記制御手段は、前記第２受信手段にてメイン受信局の代替局を順次受信し、各代替局の内、最良の受信レベルの代替局を第１受信手段に切替受信させることを特徴とする。
【００１６】
従って、本発明における請求項２記載の多重放送受信装置によれば、上記請求項１記載の効果に加えて、第２受信手段にてメイン受信局の代替局を順次受信し、各代替局の内、最良の受信レベルの代替局を第１受信手段に切替受信させるようにしたので、受信感度の良好な状態で同一番組をユーザーに享受することができる。
【００１７】
本発明における請求項３記載の多重放送受信装置は、上記請求項１又は２記載の構成に加えて、前記第２受信手段のサーチ受信対象は、前記第１受信手段にて受信中のメイン受信局の受信周波数から±１００ＫＨｚの範囲内の受信周波数であることを特徴とする。
【００１８】
従って、本発明における請求項３記載の多重放送受信装置によれば、上記請求項１又は２記載の効果に加えて、メイン受信局への受信妨害を最も及ぼしやすい、当該メイン受信局の受信周波数から±１００ＫＨｚの範囲内の隣接局をサーチ受信対象とするようにしたので、隣接局によるメイン受信局を最適な範囲で監視することで、隣接局によるメイン受信局の受信妨害を最適な状態で事前に防止することができる。
【００１９】
本発明における請求項４記載の多重放送受信装置は、上記請求項１、２又は３記載の構成に加えて、前記制御手段は、現在受信中のメイン受信局の放送電波から、このメイン受信局と同一番組放送中の代替局の受信周波数を抽出し、この抽出した代替局の受信周波数を代替周波数記憶手段に記憶することを特徴とする。
【００２０】
従って、本発明における請求項４記載の多重放送受信装置によれば、上記請求項１、２又は３記載の効果に加えて、現在受信中のメイン受信局に対応する代替局への切替受信を可能にする。
【００２１】
【発明の実施の形態】
以下、図面に基づいて本発明の多重放送受信装置における実施の形態を示すＲＤＳ受信機について説明する。図１は本実施の形態に示すＲＤＳ受信機内部の概略構成を示すブロック図である。
【００２２】
図１に示すＲＤＳ受信機１は、複数の放送局で放送される、番組放送及び該番組放送に多重されたＲＤＳデータを含むＦＭ多重放送を受けるアンテナ２を介して受信するメインチューナ１０及びサブチューナ２０からなるダブルチューナ方式である。
【００２３】
前記メインチューナ１０は、本願請求項１記載の第１受信手段に相当するものであり、アンテナ２で受信したＦＭ多重放送から希望局を選択し、この希望局の受信周波数を中間周波数に変換して増幅するフロントエンド１１と、このフロントエンド１１で増幅された中間周波数信号をＦＭ検波するＦＭ検波回路１２と、このＦＭ検波回路１２の検波出力信号をオーディオ信号に復調し、ステレオ放送の場合はＬ(左)、Ｒ(右)チャネルのオーディオ信号に分離するマルチプレクサ１３と、ＦＭ検波回路１２の検波出力信号から、その受信レベルを検出する受信レベル検出回路１４とを有し、この受信レベル検出回路１４で検出された受信レベルを、ＲＤＳ受信機１全体を制御するマイコン３に伝送する、構成としている。
【００２４】
また、前記マルチプレクサ１３の出力端には、パワーアンプ４を介してスピーカ５が接続されている。
【００２５】
さらに、メインチューナ１０には、受信すべき希望局に対応する受信周波数の発振信号を発振してフロントエンド１１に供給するＰＬＬ回路１５が接続されており、このＰＬＬ回路１５は、マイコン３からの選局指令でＰＬＬ回路１５内のプログラム分周器の分周比データを変更することで、メインチューナ１０で希望局に同調する受信周波数を制御するような構成としている。
【００２６】
サブチューナ２０は、本願請求項１記載の第２受信手段に相当するものであり、アンテナ２で受信したＦＭ多重放送から抽出したＲＤＳデータ内のＡＦリストを基に同一番組の代替局を順次受信し、この代替局の受信周波数を中間周波数に変換して増幅するフロントエンド２１と、このフロントエンド２１で増幅された中間周波数信号をＦＭ検波するＦＭ検波回路２２と、このＦＭ検波回路２２の検波出力信号から、その受信レベルを検出する受信レベル検出回路２５とで構成している。
【００２７】
前記メインチューナ１０及びサブチューナ２０にて出力される各検波出力信号からＲＤＳデータを復調する回路は、メインチューナ１０のＦＭ検波回路１２からの検波出力信号とサブチューナ２０のＦＭ検波回路２２からの検波出力信号とを、マイコン３の制御に応じて適宜切替選択可能とする切替回路２３と、この切替回路２３にて切替選択された検波出力信号から、ＲＤＳデータを復調し、この復調したＲＤＳデータをマイコン３に伝送するＲＤＳデコーダ２４とで構成している。尚、前記切替回路２３の切替タイミングは、マイコン３の制御に応じて切替られるものであり、メインチューナ１０側に切り替えられた場合には主に現在受信中のＲＤＳデータを復調するものであり、サブチューナ２０側に切り替えられた場合には代替局に関わるＲＤＳデータ復調の各目的を達成するものである。
【００２８】
ＲＤＳデータには、同一番組を放送する代替局の受信周波数を示すＡＦリストや、番組識別（ＰＩ）コードや番組内容を示す番組形式（ＰＴＹ）コードなどのデータが含まれており、このＲＤＳデータから得られるＡＦリストや番組識別コード等を、マイコン３に接続したメモリ６に格納する、構成としている。
【００２９】
前記サブチューナ２０には、受信すべき希望局に対応する受信周波数の発振信号を発振してフロントエンド２１に供給するＰＬＬ回路２６が接続されており、このＰＬＬ回路２６は、マイコン３からの選局指令でＰＬＬ回路２６内のプログラム分周器の分周比データを変更することで、サブチューナ２０にて希望局に同調する受信周波数を制御する、構成としている。
【００３０】
前記マイコン３は、メインチューナ１０がメイン受信局を受信している場合、前記受信レベル検出回路１４にてメイン受信局の受信レベルを検出し、この受信レベルが所定レベル以上でなければ、前記メモリ６に記憶中のＡＦリストに基づいて、前記メイン受信局と同一番組を放送している代替局の受信周波数を順次読み出し、前記サブチューナ２０による各代替局の受信動作を実行し、前記受信レベル検出回路２５にて各代替局の受信レベルを検出し、最も受信レベルの良好な代替局に切替受信させるようにメインチューナ１０を制御するようにしている。
【００３１】
また、前記マイコン３は、メインチューナ１０がメイン受信局を受信している場合、前記受信レベル検出回路１４にてメイン受信局の受信レベルを検出し、この受信レベルが所定レベル以上であれば、サブチューナ２０に対して現在メイン受信局の受信周波数から±１００ＫＨｚの範囲内でサーチ受信を実行し、さらには、このサーチ範囲内で受信レベルが所定レベル以上の隣接局があると判定されると、前記メイン受信局と同一番組の代替局の受信周波数をＡＦリストから読み出し、このＡＦリストに基づいて最も受信レベルの良好な代替局に切替受信させるようにメインチューナ１０を制御するようにしている。
【００３２】
本願請求項１記載の隣接局レベル判定手段及び制御手段はマイコン３に相当するものであり、代替周波数記憶手段はメモリ６に相当するものである。
【００３３】
次に本実施の形態に示すＲＤＳ受信機１の動作について説明する。図２は本実施の形態に示すＲＤＳ受信機１の隣接局検出切替処理におけるマイコン３の処理動作を示すフローチャートである。
【００３４】
通常、本実施の形態に示すＲＤＳ受信機１は、メインチューナ１０にて受信中のメイン受信局の受信レベルが所定レベル以上でなければ、前記メモリ６に記憶中のＡＦリストに基づいて、当該メイン受信局の代替局をサブチューナ２０に順次受信させ、図３に示すように受信レベルの良好な代替局にメインチューナ１０を切替受信させることで、常に受信レベルの良好な代替局に切替受信させるようにしている。
【００３５】
これに対して、本願発明の特徴である図２に示す隣接局検出切替処理は、メインチューナ１０にて受信中のメイン受信局の受信レベルが所定レベル以上であれば、メイン受信局に受信妨害を及ぼしかねない隣接局を監視することで、この隣接局による受信妨害を防止するようにした。
【００３６】
図２に示すマイコン３は、メモリ６に記憶中のＡＦリストからメイン受信局の代替局の受信周波数を読み出し(ステップＳ２１)、この受信周波数に基づいて、前記サブチューナ２０にて代替局を受信し(ステップＳ２２)、この受信した代替局の受信レベルを検出して記憶しておき(ステップＳ２３)、前記ＡＦリストに基づいて受信対象の他の代替局があるか否かを判定する(ステップＳ２４)。
【００３７】
受信対象の他の代替局がないと判定されると、これらステップＳ２２にて受信した代替局の内、受信レベルの良好な代替局、つまり受信可能な代替局があったか否かを判定する(ステップＳ２５)。
【００３８】
受信可能な代替局があったのであれば、この代替局に関わるＡＦリストをメモリ６に記憶更新し(ステップＳ２６)、サブチューナ２０にて、前記メイン受信局の受信周波数から＋１００ＫＨｚまでの受信周波数範囲内でサーチ受信動作を開始し(ステップＳ２７)、前記サブチューナ２０にてサーチ受信中に隣接局を検出したか否かを判定する(ステップＳ２８)。
【００３９】
このサブチューナ２０によるサーチ受信中に、図３に示すように隣接局を検出したのであれば、前記受信レベル検出回路２５にて当該隣接局の受信レベルを検出し(ステップＳ２９)、この隣接局の受信レベルが所定レベル以上となったか否かを判定する(ステップＳ３０)。
【００４０】
この隣接局の受信レベルが所定レベル以上となると、この隣接局はメイン受信局に受信妨害を及ぼすおそれがあるものと判断して、メモリ６に記憶中のＡＦリストからメイン受信局の代替局の受信周波数を読み出し(ステップＳ３１)、この受信周波数に基づいて、前記メインチューナ１０にて代替局に切替受信し（ステップＳ３２)、この隣接局検出切替処理の処理動作を終了する。
【００４１】
また、ステップＳ２８にて隣接局を検出することができなければ、又はステップＳ３０にて受信レベルが所定レベル以上でなければ、前記サブチューナ２０によるメイン受信局の受信周波数から＋１００ＫＨｚのサーチ受信処理が終了したか否かを判定する(ステップＳ３３)。
【００４２】
このメイン受信局の受信周波数から＋１００ＫＨｚまでのサーチ受信処理を終了したのでなければ、さらなるサーチ受信処理を継続すべく(ステップＳ３４)、ステップＳ２８に移行する。
【００４３】
また、ステップＳ３３にてメイン受信局の受信周波数から＋１００ＫＨｚまでのサーチ受信処理が終了したのであれば、前記サブチューナ２０にて、メイン受信局の受信周波数から−１００ＫＨｚまでのサーチ受信動作を開始し（ステップＳ３５）、このサーチ受信処理中に隣接局を検出したか否かを判定する（ステップＳ３６)。
【００４４】
この隣接局を検出すると、この隣接局の受信レベルを検出し(ステップＳ３７)、この隣接局の受信レベルが所定レベル以上になったか否かを判定する（ステップＳ３８）。
【００４５】
この隣接局の受信レベルが所定レベル以上となると、この隣接局はメイン受信局に受信妨害を及ぼすおそれがあるものと判断して、メモリ６に記憶中のＡＦリストからメイン受信局の代替局の受信周波数を読み出すステップＳ３１に移行する。
【００４６】
ステップＳ３８にて受信レベルが所定レベル以上でないと判定されると、メイン受信局の受信周波数から−１００ＫＨｚまでのサーチ受信処理動作が終了したか否かを判定する(ステップＳ３９)。
【００４７】
この−１００ＫＨｚまでのサーチ受信処理動作が終了したのであれば、所定時間、例えば１０秒タイマをスタートし(ステップＳ４０)、この１０秒タイマがタイムアップしたか否かを判定する(ステップＳ４１)。この１０秒タイマがタイムアップしたのであれば、再度、当該処理動作を開始すべく、ステップＳ２１に移行する。尚、メイン受信局の受信レベルが所定レベル未満となると、通常の処理動作に移行する。
【００４８】
また、ステップＳ２５にて受信可能な代替局がなければ、ステップＳ４０に移行する。
【００４９】
ステップＳ３６にてサーチ受信処理中に隣接局を検出したのでなければ、ステップＳ３９に移行する。このステップＳ３９にて−１００ＫＨｚまでのサーチ受信処理を終了したのでなければ、サーチ継続処理を実行すべくステップＳ４２に移行し、ステップＳ３６に移行する。
【００５０】
本実施の形態によれば、メインチューナ１０で受信中のメイン受信局の受信レベルが良好の場合には、前記メモリ６に記憶中のＡＦリストに基づいて、メイン受信局の代替局の受信周波数を読み出し、この順次読み出された受信周波数に基づいて、前記サブチューナ２０に順次代替局を受信させ、これら順次受信した代替局の内から最も受信レベルの良好な代替局を抽出してメモリ６を記憶更新した後、サブチューナ２０でメイン受信局の受信周波数に隣接する±１００ＫＨｚの範囲で図３に示すように隣接局をサーチし、この隣接局の受信レベルが所定レベル以上であると判定されると、この隣接局が受信妨害を及ぼすおそれのある放送局であると判断し、前記メモリ６のＡＦリストに基づいて、前記メインチューナ１０に切替受信させるようにしたので、サブチューナ２０の有効活用を図りながら、メイン受信局の隣接局を監視することで、この隣接局によるメイン受信局の受信妨害を事前に防止することができ、さらにはユーザーに同一番組を享受することができる。
【００５１】
【発明の効果】
上記のように構成された本発明における請求項１記載の多重放送受信装置によれば、第１受信手段によるメイン受信局の受信中に、このメイン受信局に隣接する受信周波数へのサーチ受信を第２受信手段にて行い、このサーチ受信にて受信された隣接局の受信レベルが所定レベル以上となると、当該メイン受信局に受信妨害を及ぼす隣接局と判断し、第１受信手段にて受信中のメイン受信局を代替局に切替受信させるようにしたので、第２受信手段の有効活用を図りながら、メイン受信局の隣接局を監視することで、この隣接局によるメイン受信局の受信妨害を事前に防止することができ、さらにはユーザーに同一番組を享受することができる。
【００５２】
本発明における請求項２記載の多重放送受信装置によれば、上記請求項１記載の効果に加えて、第２受信手段にてメイン受信局の代替局を順次受信し、各代替局の内、最良の受信レベルの代替局を第１受信手段に切替受信させるようにしたので、受信感度の良好な状態で同一番組をユーザーに享受することができる。
【００５３】
本発明における請求項３記載の多重放送受信装置によれば、上記請求項１又は２記載の効果に加えて、メイン受信局への受信妨害を最も及ぼしやすい、当該メイン受信局の受信周波数から±１００ＫＨｚの範囲内の隣接局をサーチ受信対象とするようにしたので、メイン受信局の隣接局を最適な範囲で監視することで、この隣接局によるメイン受信局の受信妨害を最適な状態で事前に防止することができる。
【００５４】
本発明における請求項４記載の多重放送受信装置によれば、上記請求項１、２又は３記載の効果に加えて、現在受信中のメイン受信局に対応する代替局への切替受信を可能にする。
【図面の簡単な説明】
【図１】本発明の多重放送受信装置における実施の形態を示すＲＤＳ受信機内部の概略構成を示すブロック図である。
【図２】本実施の形態に示すＲＤＳ受信機の隣接局検出切替処理に関わる処理動作を端的に示す動作説明図である。
【図３】本実施の形態に示すＲＤＳ受信機内部の隣接局検出切替処理に関わるマイコンの処理動作を示すフローチャートである。
【符号の説明】
１  ＲＤＳ受信機(多重放送受信装置)
３  マイコン(隣接局レベル判定手段、制御手段)
６  メモリ(代替周波数記憶手段)
１０  メインチューナ(第１受信手段)
２０  サブチューナ(第２受信手段)
【図１】
0004219498.tif 000002
【図２】
0004219498.tif 000003
【図３】
0004219498.tif 000004